(57)【特許請求の範囲】
【請求項１】
所要のパチンコゲームを展開し得る遊技盤の遊技領域に配設されて、遊技球の接触により回転される回転装置であって、
外周に複数の球接触部が設けられ、該球接触部に前記遊技球が接触することで回転する回転体と、
前記回転体に回転軸を介して連結されて、該回転体と連動して回転し、この回転体と対向する表面に発光体が配設されると共に、裏面の所要位置に該発光体に接続する接触部材が設けられた回転基板と、
前記回転基板の裏面と対向するよう固定配置され、前記接触部材と対向する面の所要位置に、該回転基板の回転時に接触部材に対して接離可能で、電源に接続された被接触部材が設けられた固定基板とからなり、
前記回転体と連動して前記回転基板が回転する際に、前記接触部材と前記被接触部材とが接触したときに前記発光体に通電され、該接触部材と該被接触部材とが離間したときに該発光体への通電が遮断されるよう構成した
ことを特徴とするパチンコ遊技機における回転装置。
【請求項２】
所要のパチンコゲームを展開し得る遊技盤の遊技領域内に配設されて、遊技球の接触により回転される回転装置であって、
外周に複数の球接触部が設けられ、該球接触部に前記遊技球が接触することで回転する回転体と、
前記回転体の裏面と対向するよう固定配置され、該回転体に対向する表面に発光体が配設されると共に、その裏面の所要位置に該発光体に接続する第１接触部材および電源に接続された第２接触部材が非接触状態で設けられた固定基板と、
前記回転体に回転軸を介して連結されて該回転体と連動して回転し、前記第１および第２接触部材と対向する面の所要位置に、その回転時に両接触部材が接離可能な被接触部材を設けた回転基板とからなり、
前記回転体と連動して前記回転基板が回転する際に、前記第１および第２接触部材と前記被接触部材とが接触したときに前記発光体に通電され、第１または第２接触部材の何れか一方と該被接触部材とが離間したときに該発光体への通電が遮断されるよう構成した
ことを特徴とするパチンコ遊技機における回転装置。
【請求項３】
前記発光体として複数色の発光ダイオードが使用される請求項１または２記載のパチンコ遊技機における回転装置。
【発明の詳細な説明】
【０００１】
【発明の属する技術分野】
この発明は、パチンコ遊技機における回転装置に関し、更に詳しくは、パチンコゲームを展開し得る遊技盤の遊技領域内に配設されて、パチンコ球(遊技球)の接触により回転される回転装置に関するものである。
【０００２】
【従来の技術】
周知のように、パチンコ機やアレンジボール機に代表される遊技機には、パチンコゲーム上での装飾性を得る手段として、一般的にランプ部品または照明ランプ具とも呼ばれている発光装置が多く利用さている。この発光装置として、例えば透明または光透過性の合成樹脂等で形成され、一般に風車(フウシャ)とも呼ばれている類いの回転部品の裏面に、フィラメント式ランプ(豆球)や発光ダイオード(ＬＥＤ)等の発光体を配置して構成されるものがある。この発光体は、各種の発光制御装置に接続することで点灯や点滅等の所定の条件で発光し得るようになっており、遊技の状態に合わせて発光するよう構成されている。また、前記回転部品の裏面はダイヤモンドカットや球面カット等の処理が施されて、発光体から照射された光を拡散するようになっており、発光による装飾性をより高める工夫がなされている。
【０００３】
【発明が解決しようとする課題】
しかし従来の遊技機における発光装置では、主にパチンコ球(遊技球ともいう)が特別ゲームの開始条件を発生,成立するための始動入賞口や特定入賞口等に通入した際に、発光体が点灯や点滅するようになっている。そのため、パチンコ球が前記各入賞口に通入した時等を除いて遊技盤上での変化は乏しく遊技者の興味が薄れる欠点が指摘される。すなわち、前記発光装置における発光は、単調な点灯や点滅の繰り返しである場合が多く、発光による遊技盤の装飾効果は優れてはいなかった。また、パチンコ球と発光装置との動作は関連性が薄く、パチンコ球が接触することで発光体が点滅を行ない、遊技盤に装飾性を付与するような装置は提案されていなかった。
【０００４】
【発明の目的】
本発明は、前述した課題を好適に解決するべく新規に提案されたものであって、回転体が遊技球との接触により回転するのに伴って発光体を点滅させることで、遊技盤面に変化を付与し得ると共に、遊技盤面の装飾性を向上させ得るパチンコ遊技機における回転装置を提供することを目的とする。
【０００６】
【課題を解決するための手段】
前記課題を解決し、所期の目的を達成するため、本願発明に係るパチンコ遊技機における回転装置は、
所要のパチンコゲームを展開し得る遊技盤の遊技領域に配設されて、遊技球の接触により回転される回転装置であって、
外周に複数の球接触部が設けられ、該球接触部に前記遊技球が接触することで回転する回転体と、
前記回転体に回転軸を介して連結されて、該回転体と連動して回転し、この回転体と対向する表面に発光体が配設されると共に、裏面の所要位置に該発光体に接続する接触部材が設けられた回転基板と、
前記回転基板の裏面と対向するよう固定配置され、前記接触部材と対向する面の所要位置に、該回転基板の回転時に接触部材に対して接離可能で、電源に接続された被接触部材が設けられた固定基板とからなり、
前記回転体と連動して前記回転基板が回転する際に、前記接触部材と前記被接触部材とが接触したときに前記発光体に通電され、該接触部材と該被接触部材とが離間したときに該発光体への通電が遮断されるよう構成したことを特徴とする。
【０００７】
前記課題を解決し、所期の目的を達成するため、本願の別の発明に係るパチンコ遊技機における回転装置は、
所要のパチンコゲームを展開し得る遊技盤の遊技領域内に配設されて、遊技球の接触により回転される回転装置であって、
外周に複数の球接触部が設けられ、該球接触部に前記遊技球が接触することで回転する回転体と、
前記回転体の裏面と対向するよう固定配置され、該回転体に対向する表面に発光体が配設されると共に、その裏面の所要位置に該発光体に接続する第１接触部材および電源に接続された第２接触部材が非接触状態で設けられた固定基板と、
前記回転体に回転軸を介して連結されて、該回転体と連動して回転し、前記第１および第２接触部材と対向する面の所要位置に、その回転時に両接触部材が共通的に接離可能な被接触部材を設けた回転基板とからなり、
前記回転体と連動して前記回転基板が回転する際に、前記第１および第２接触部材と前記被接触部材とが接触したときに前記発光体に通電され、第１または第２接触部材の何れか一方と該被接触部材とが離間したときに該発光体への通電が遮断されるよう構成したことを特徴とする。
【０００９】
【作用】
本発明の回転装置では、遊技盤の遊技領域に打ち出された遊技球が回転体に設けられた球接触部に接触すると、該回転体と回転基板とが連動して回転する。このとき、前記回転基板に設けた接触部材と固定基板に設けた被接触部材とは接触状態と非接触状態とを繰り返し、この繰り返しに合わせて回転基板に配設された発光体が点灯,消灯を繰り返す。すなわち、遊技盤上で回転している発光体が点滅することで変化を与えると共に、遊技盤の装飾性を向上させ得る。
【００１０】
また本願の別の発明によれば、遊技盤の遊技領域に打ち出された遊技球が回転体に設けられた球接触部に接触すると、該回転体と回転基板とが連動して回転する。このとき、固定基板に設けた第１および第２接触部材と前記回転基板に設けた被接触部材とは接離可能であるから、該両接触部材と被接触部材との接触により固定基板に配設された発光体への通電が行われて該発光体は点灯し、両接触部材の何れか一方と被接触部材との離間により発光体への通電は遮断されて消灯する。このように、前記回転体の回転に従って発光体が点灯,消灯を繰り返すことで、遊技盤に変化を与えると共に、遊技盤の装飾性を向上させ得る。
【００１１】
【発明の実施の形態】
次に、本発明に係るパチンコ遊技機における回転装置につき、好適な実施例を挙げて、添付図面を参照しながら、以下詳細に説明する。なお本実施例では、遊技機として一般的なパチンコ機に装着される遊技盤に回転装置を配設し、この遊技盤の遊技領域に打出された遊技球と接触することで発光体が発光,消灯する場合を例示する。
【００１２】
そこで先ず、パチンコ機における前枠の正面内部に着脱可能にセットされる本実施例の遊技盤について、図７を参照して要約説明する。この遊技盤１１は、第１種パチンコ遊技機用のものを例示しており、パチンコゲームに供される各種の入賞用の遊技部品や表示用の遊技部品等が配設されている。すなわち、遊技盤１１に配設された円形状の案内レール１２内の遊技領域１３において、電子制御式の図柄表示装置(遊技部品)１５が中央に配設されている。この図柄表示装置１５は、遊技盤１１の前面側に装着セットされる前側透視体１６と、内部に図柄表示ユニット等を収容して該遊技盤１１の裏面側に突出状態で装着される保持枠体(図示せず)とから構成される。
【００１３】
また前記入賞用の遊技部品として、入球検出に基いて前記図柄表示装置１５の図柄作動条件を発生し得る始動入賞具１７、普通入賞具１８、両側に普通入賞具１９を夫々配設すると共に中央に特別遊技の条件成立に基いて開成作動される開閉部材２０を備えたアタッカータイプの特別入賞装置２１の夫々が遊技盤１１の所要位置に配設されている。
【００１４】
【第１実施例】
本発明の第１実施例に係る回転装置２２は、図１に示すように、遊技盤１１の前面に取着される取付板２３の表面に対向して配設される回転体２５と、その裏面に配設される回転基板２６および固定基板２８とから基本的に構成され、該回転体２５と回転基板２６および固定基板２８は回転軸２４に共通的に支持されている。なお、第１実施例における回転体２５は所謂風車であり、図７または図８に示すように、例えば前記図柄表示装置１５の左右両側部に回転装置２２が１基ずつ配設されて、遊技盤１１の遊技領域１３に打出された遊技球が該回転体２５に接触することで、この回転体２５は回転するようになっている。
【００１５】
図２または図５に示すように、前記回転装置２２における取付板２３は略楕円状であり、その長手方向の両端部近傍に通孔２３ｂが夫々穿設されると共に、各通孔２３ｂより中央側の裏面には筒状のボス部３０が夫々突設されており、図１に示すように、一対のボス部３０,３０を遊技盤１１の所定位置に開設した装着孔３３に前側から挿通した状態で、各通孔２３ｂに前側から挿通した固定ビス３１(図８参照)を遊技盤１１に螺挿することで、当該取付板２３が遊技盤１１に着脱可能に固定される。また、前記取付板２３の中央部には通孔２３ａが穿設されており、前記回転体２５に突設される後述する筒部３８、突部３９および回転軸２４を通出し得るようになっている。
【００１６】
前記固定基板２８は、図４に示すように、略円盤状に形成されると共に、その中心部を挟む両側にフランジが夫々形成され、各フランジに通孔２８ｂが穿設されている。両通孔２８ｂ,２８ｂは、前記取付板２３の中心とこの固定基板２８の中心とを整列させた際に、該取付板２３に突設した前記ボス部３０,３０と対応した位置に形成されており、固定基板２８の裏面から各通孔２８ｂに挿通した固定ビス３２を対応のボス部３０に螺挿することで、固定基板２８は該取付板２３に固定される。
【００１７】
前記取付板２３の前側に配設される前記回転体２５は、透明または光透過性の材料(例えばポリカーボネート等の合成樹脂)を材質として形成される。また図６に示すように、前記回転体２５の外周には３種類の球接触部４６,４７,４８が複数放射状に形成されており、各球接触部４６,４７,４８の外端縁は同一半径位置に臨むように設定されている。また図２に示すように、前記回転体２５における裏面の中央部に筒部３８が突設されると共に、該筒部３８を挟む回転体２５の外周縁近傍には回転基板２６と接合するための一対の突部３９,３９が突設されている。そして、各突部３９の端部には該突部３９より小径の接合部３９ａが形成されている。なお、前記回転体２５および筒部３８には、その軸方向中心を貫通する軸孔３８ａが穿設されており、前記回転軸２４を挿入し得るようになっている。また、前記回転体２５のキャップ状本体部２５ａにおける内面には、光拡散用の突起(図示せず)が放射状に形成してある。
【００１８】
図２、図３または図５に示すように、前記回転基板２６は円盤状に形成され、その中心部には軸孔２６ａが穿設されている。更に、回転基板２６の外周縁近傍には、前記回転体２５の軸孔３８ａとこの回転基板２６の軸孔２６ａを整列させた際に、該回転体２５に突設される突部３９に形成された接合部３９ａと対応する通孔２６ｂが穿設されている。そして、前記回転体２５の筒部３８および突部３９,３９を、前記取付板２３の中央部に穿設された通孔２３ａに前側から挿通し、各突部３９の接合部３９ａを回転基板２６の対応する通孔２６ｂに嵌挿することで、回転体２５と回転基板２６とが取付板２３を挟んで対向するよう連結される。
【００１９】
前記回転体２５および筒部３８に穿設された前記軸孔３８ａの直径より僅かに小径に設定されて該回転体２５の前側から挿入された回転軸２４が、前記回転基板２６の中心部に穿設された軸孔２６ａに貫通された状態で、その後端部が前記固定基板２８の中心部に穿設された軸孔２８ａに嵌挿されている。すなわち、取付板２３を挟んで連結された回転体２５と回転基板２６とは固定基板２８に配設された回転軸２４に回転可能に支持され、該回転体２５に形成された前記球接触部４６,４７,４８に遊技球が接触した際には、回転体２５と回転基板２６とが一体的に回転するよう構成される。
【００２０】
なお、前記回転軸２４の前端部には径方向外方に延出し、前記回転体２５および筒部３８に形成した軸孔３８ａより大径の係合片２４ａが形成されており、この係合片２４ａが該回転体２５に当接することで、回転体２５の位置規制が行なわれる。また、前記回転軸２４の後端部およびその近傍には、全周に亘って第１嵌合溝２４ｂおよび第２嵌合溝２４ｃが環状に形成されており、第１嵌合溝２４ｂが回転基板２６の裏側に臨むと共に、第２嵌合溝２４ｃが固定基板２８の裏側に臨んでいる。そして各嵌合溝２４ｂ,２４ｃにＥリング等の留め具４９を嵌合することで、回転基板２６の位置決めおよび回転軸２４の固定基板２８に対する抜け止めがなされている。なお、前記回転体２５の筒部３８と回転基板２６との間および回転基板２６と留め具４９との間、更には固定基板２８を挟む前後両側に臨む回転軸２４に、夫々に補助部材５０を介装することで回転を円滑に行ない得るようにしてある。
【００２１】
前記回転体２５の裏面と対向する前記回転基板２６の表面には、図２または図３に示すように、複数の発光体２７が配設されると共に、該回転基板２６の裏面の所要位置には導電性の接触部材４０が配設されている。そして、各発光体２７と接触部材４０とは回転基板２６上に形成される配線(図示せず)で接続されており、該接触部材４０と前記固定基板２８の後述する被接触部材４２とが接触することで発光体２７に通電され、該発光体２７を発光し得るようになっている。また、前記発光体２７として各種の発光部材を使用し得るが、高輝度で長寿命な発光ダイオード(ＬＥＤ)が好適に使用され、更に複数色(例えば赤,青,黄,緑,橙,白等)のＬＥＤを適宜選択して使用することも可能である。なお前記接触部材４０としては、前記回転基板２６の回転を阻害しないものであれば良く、例えばモータ等に好適に使用される金属ブラシや炭素ブラシ等を使用し得る。
【００２２】
前記回転基板２６の裏面と対向する前記固定基板２８の表面の所要位置に、図４に示すように、回転基板２６の回転時に前記接触部材４０と接離可能な被接触部材４２が設けられている。また固定基板２８の裏面には、図示しない電源や発光制御基板に接続し得るコネクタ６２が設けられており、該固定基板２８に形成される配線によって、このコネクタ６２は前記被接触部材４２と接続されている。なお、実施例では、被接触部材４２は周方向に離間する２箇所に設けられ、回転基板２６が１回転する間に接触部材４０と被接触部材４２とが所定間隔で２度接触するようになっているが、該被接触部材４２の配置数や配設間隔は任意に設定し得るものである。
【００２３】
【第１実施例の作用】
次に、前述のように構成された第１実施例に係るパチンコ遊技機における回転装置の作用につき説明する。
【００２４】
前述した本実施例の回転装置２２では、図７に示す遊技盤１１において、遊技領域１３の中央に配設された電子制御式の図柄表示装置１５の左右両側に取着され、該遊技領域１３に打出された遊技球の接触により回転することで、該図柄表示装置１５の下方に配設された始動入賞具１７等へ遊技球を適宜変向案内するようになっている。
【００２５】
前述の如く、第１実施例の回転装置２２は、遊技盤１１の前面に取付板２３が固定され、この取付板２３の裏面に突設されたボス部３０に、前記固定基板２８が固定ビス３２で固定されている。更に図１、図２または図５に示すように、前記取付板２３の前面には前記回転体２５が臨むと共に、前記固定基板２８と取付板２３との間には回転基板２６が臨んでおり、この回転体２５と回転基板２６とは固定基板２８に配設された前記回転軸２４に回転可能に支持されている。この回転体２５に遊技球が接触することで回転基板２６が連動して回転することによって、該回転基板２６の裏面に設けられた前記接触部材４０は、前記固定基板２８の表面に設けられた被接触部材４２と接触している状態(ＯＮ状態)または離間している状態(ＯＦＦ状態)とを繰り返す。すなわち、接触部材４０がＯＮ状態の時には、電源等に接続されている前記コネクタ６２と前記発光体２７とが接続されることで該発光体２７に通電され、ＯＦＦ状態の時には該コネクタ６２と該発光体２７との接続が解除されることで発光体２７への通電は遮断される。従って、前記回転体２５に遊技球が接触して回転基板２６が回転する毎に、前記接触部材４０は被接触部材４２とのＯＮ状態とＯＦＦ状態とを繰り返すので、回転基板２６に配設されている発光体２７は回転しつつ点灯,消灯を行なう。このように、回転装置２２が回転しつつ発光体２７の点灯,消灯を行なうことで、遊技盤１１に多彩な変化を生じて面白味が増大し、遊技者に興味を与え得ると共に、遊技盤１１の装飾性を向上させ得る。また、発光体２７として複数色の発光ダイオードを使用することで装飾性を飛躍的に向上させ得るので、遊技者をより惹き付けることができる。更に、この第１実施例の回転装置２２では回転基板２６も回転するので、この回転基板上に複数色の発光ダイオードが配設されると、回転により生じる発光ダイオードの複数色の残光が混じり合うので、遊技盤１１の装飾性を更に向上させ得る。
【００２６】
【第２実施例】
図９〜図１３は、第２実施例に係る回転装置５２を示すものであって、その構成は前述した第１実施例の回転装置２２と基本的には同一で、遊技盤１１の前面に取着される取付板５３の表面に対向して配設される回転体５５と、その裏側に配設された固定基板５６および回転基板５８とから構成され、回転軸５４により回転体５５と回転基板５８とが連結されている。なお、第２実施例における回転体５５は所謂風車であり、図７または図８に示すように、例えば前記図柄表示装置１５の左右両側部に回転装置５２が１基ずつ配設されて、遊技盤１１の遊技領域１３に打出された遊技球が該回転体５５に接触することで、この回転体５５は回転するようになっている。
【００２７】
図１０または図１３に示すように、前記回転装置５２の取付板５３は、略楕円形状でその長手方向の両端部近傍には通孔５３ｂが夫々穿設されると共に、各通孔５３ｂより中央側には筒状のボス部６８が夫々突設されている。そして図９に示すように、一対のボス部６８,６８を遊技盤１１の所定位置に開設した装着孔３３に前側から挿通した状態で、各通孔５３ｂの前側から挿通した固定ビス３１を遊技機１１に螺挿することで、当該取付板５３が遊技盤１１に着脱可能に固定されるようになっている。また図１０に示すように、前記取付板５３の中心部には通孔５３ａが穿設されており、その中央部には軸孔５９ａが穿設された支持部材５９が、放射状に設けられた複数のアーム部６０を介して該取付板５３と一体に形成されている。
【００２８】
前記固定基板５６は、図１１に示すように、略円盤状に形成されると共に、その中心を挟む両側にフランジが夫々形成され、各フランジに通孔５６ｂが穿設されている。そして両通孔５６ｂ,５６ｂは、図１０に示すように、前記取付板５３の中心とこの固定基板５６の中心を整列させた際に、該取付板５３に突設されるボス部６８と対応する位置に形成されており、固定基板５６の裏面から各通孔５６ｂに固定ビス３２を対応のボス部６８に螺挿することで、該固定基板５６は前記取付板５３に固定される。
【００２９】
前記取付板５３の前面に配設される回転体５５は、透明または光透過性の材料(例えばポリカーボネート等の合成樹脂)を材質として形成されており、図１４に示すように、その外周には前述したと同様の３種類の球接触部４６,４７,４８が複数放射状に形成されている。また図９に示すように、前記回転体５５の裏面の中央部には雌ネジ孔５５ａが螺設された筒部５５ｂが突設され、該回転体５５のキャップ状本体部５５ｃと前記取付板５３との間に一定の間隔を保持し得るようになっている。
【００３０】
図１０または図１２に示すように、前記回転基板５８は円盤状に形成されており、その中心部には軸孔５８ａが穿設されている。そして、この軸孔５８ａに、前側端部に雄ネジ部５４ａが形成された回転軸５４の後側端部が接着剤等その他の固定手段で強固に固定されていると共に、この回転軸５４より僅かに大径に設定された固定基板５６の軸孔５６ａおよび前記取付板５３の支持部材５９の軸孔５９ａを回転軸５４が貫通した状態で、雄ネジ部５４ａを前記回転体５５の雌ネジ孔５５ａに螺挿することで該回転体５５と回転基板５８とが連結固定されている。すなわち、前記取付板５３および固定基板５６の両軸孔５６ａ,５９ａで回転軸５４を回転可能に支持することで、前記回転体５５に形成された前記球接触部４６,４７,４８に遊技球が接触した際には、回転体５５と回転基板５８とが一体的に回転するよう構成される。なお、前記回転体５５と前記取付板５３の支持部材５９との間および前記固定基板５６と前記回転基板５８との間に位置する回転軸５４に、夫々補助部材５０を介装することで回転を円滑に行ない得るようにしてある。
【００３１】
更に図９に示すように、前記取付板５３の裏面と対向する前記固定基板５６の表面の所要位置には、複数の発光体２７が配設されている。そして、固定基板５６に形成される突出片６１の裏面には、図示しない電源や発光制御基板に接続されるコネクタ６２が配設されると共に、該固定基板５６の裏面の所要位置には前記発光体２７と接続された第１接触部材６４と該コネクタ６２に接続された第２接触部材６５とが互いに非接触状態で設けられ、この両接触部材６４,６５と後述する被接触部材６７とが接触することで、発光体２７に通電され、該発光体２７を発光し得るようになっている。また前記第１実施例と同様に、前記発光体２７としては高輝度で長寿命な発光ダイオード(ＬＥＤ)が好適に使用され、更に複数色(例えば赤,青,黄,緑,橙,白等)のＬＥＤを適宜選択して使用することが可能である。また、前記第１および第２接触部材６４,６５としては、前記被接触部材６７の回転を阻害しないものであれば良く、例えばモータ等に好適に使用される金属ブラシや炭素ブラシ等を使用し得る。
【００３２】
前記固定基板５６と対向する前記回転基板５８の表面の所要位置には、図１２に示すように、導電性の被接触部材６７が設けられており、該回転基板５８の回転時に前記第１および第２接触部材６４,６５が共通的に接離可能となっている。なお、第２実施例においても、第１実施例と同様に被接触部材６７は周方向に離間する２箇所に設けられ、回転基板５８が１回転する間に両接触部材６４,６５と被接触部材６７とが所定間隔で２度接触するようになっているが、該被接触部材６７の配置数や配設間隔は任意に設定し得るものである。
【００３３】
【第２実施例の作用】
次に、前述のように構成された第２実施例に係るパチンコ遊技機における回転装置の作用につき説明する。
【００３４】
前述の如く、第２実施例の回転装置５２は、遊技機１１に取付板５３が固定され、この取付板５３の裏面に突設されたボス部６８には、前記固定基板５６が固定ビス３２で固定されている。更に図９に示すように、前記取付板５３の表面に対向するように前記回転体５５が臨むと共に、前記固定基板５６の裏面と対向するように回転基板５８が臨んでおり、この回転体５５と回転基板５８とは、前記支持部材５９に穿設した軸孔５９ａおよび固定基板５６に穿設した軸孔５６ａに回転可能に挿通支持された前記回転軸５４を介して連結固定されている。このように、前記各軸孔５６ａ,５９ａの２点で前記回転軸５４を支持することで、該回転軸５４はブレることなく安定して回転し得る。そして、回転体５５に遊技球が接触して回転することで前記回転基板５８が連動して回転する。このとき、前記固定基板５６の裏面に設けられた第１および第２接触部材６４,６５が、前記回転基板５８の表面に設けられた前記被接触部材６７に共通的に接触している状態(ＯＮ状態)または第１または第２接触部材６４,６５の何れか一方が離間している状態(ＯＦＦ状態)とを繰り返す。すなわち、ＯＮ状態の時には、前記発光体２７に接続された第１接触部材６４と、前記コネクタ６２と接続された第２接触部材６５とが被接触部材６７を介して接続されるので発光体２７への通電が行なわれ、ＯＦＦ状態の時には発光体２７とコネクタ６２との接続は解除されるので、該発光体２７への通電は遮断される。
【００３５】
このように、前記回転体５５に遊技球が接触して回転基板５８が回転する毎に、前記第１および第２接触部材６４,６５は被接触部材６７とのＯＮ状態とＯＦＦ状態とを繰り返すので、前記固定基板５８に配設されている発光体２７は点灯,消灯を行なう。従って、回転装置５２が回転しつつ発光体２７の点灯,消灯を行なうことで、遊技盤１１に変化を生じて面白味が増大し、遊技者に興味を与え得ると共に、遊技盤１１の装飾性を向上させ得る。また点灯,消灯を繰り返す発光体２７に、複数色の発光ダイオードを使用することで装飾性が飛躍的に向上し得るので、遊技者をより惹き付けることができる。
【００３６】
第１実施例および第２実施例では、第１種パチンコ遊技機用の遊技盤に本発明に係る回転装置を実施する場合を例示したが、これに限られず、第２種または第３種パチンコ遊技機用の遊技盤あるいはアレンジボール遊技機の遊技盤等にも好適に実施し得る。また、本発明の回転装置を遊技盤上に配設される風車に実施する場合を例示したが、例えば遊技盤の側部に設けられる電飾部材や図柄表示装置に配設される装飾部材等の遊技球が接触し得る箇所に実施し、回転体が遊技球と接触して回転するのに伴って発光し得るようにしても良い。例えば、遊技球の通過し易い箇所に本発明に係る回転装置を配設することで発光体の点灯,消灯の頻度が高くなり、遊技盤に多彩な変化を生じさせることで遊技盤の装飾性を向上させることが可能となり、また遊技球の通過が比較的少ない特別ゲームの発生部品(所謂役物)等の近傍に配置して、発光体が発光した際に特別ゲームへの期待感を高めることも可能である。
【００３７】
なお、固定基板の固定方法は実施例のようなビス等で固定する手段に限られず、例えば固定基板に係合孔を形成すると共に、取付板にフック部を形成して、このフック部を係合孔に嵌合させて固定しても良い。また発光体としては、ＬＥＤ、その他の発光手段を適宜に採用可能である。なお第１および第２実施例では、複数の発光体を１つの接触部材に接続することで各発光体が同時に発光するようにしたが、各発光体の夫々に対応して接触部材を設けることで、回転体が回転した際に各接触部材が被接触部材と順次接触または離間させ、各発光体毎に点灯,消灯を行なったり、各発光体がランダムに発光するように制御することも可能である。
【００３８】
【発明の効果】
以上説明した如く、本発明に係るパチンコ遊技機における回転装置によれば、遊技球が接触することで回転体が回転された際に、発光体を点灯,消灯させることが可能となり、遊技領域に打ち出される遊技球と回転体とが接触することで、遊技盤に発光の変化が生じて遊技者に興味を与え得ると共に、遊技盤面の装飾性を向上させ得る。従って、遊技球の通過し易い箇所に本発明に係る回転装置を配設して、発光体の点灯,消灯の頻度を高めて遊技盤に多彩な変化を生じさせたり、遊技球の通過が比較的少ない特別ゲームの発生部品(役物)等の近傍に配置することで、発光体が点灯,消灯した際に特別ゲームへの期待感を高めることも可能である。特に、回転体と一体的に回転する回転基板に発光体を配設した構成では、該発光体が回転しながら点灯,消灯を繰り返すので、より興趣が増す。更に点灯,消灯を繰り返す発光体に、複数色の発光ダイオードを使用することで遊技盤の装飾性を飛躍的に向上させ得るので、遊技者をより惹き付けることができる。
【図面の簡単な説明】
【図１】本発明の第１実施例に係る回転装置を遊技盤に取付けた状態で一部切欠いて示す側面図である。
【図２】第１実施例の回転装置を分解した状態で示す斜視図である。
【図３】第１実施例の回転基板と接触部材との関係を示す背面図である。
【図４】第１実施例の固定基板と被接触部材の関係を示す正面図である。
【図５】第１実施例に係る回転装置の各部材を組付けた状態を示す斜視図である。
【図６】第１実施例に係る回転体を示す正面図である。
【図７】第１および第２実施例に係る回転装置が実施される遊技機の正面図である。
【図８】第１および第２実施例に係る回転装置が実施される遊技盤の要部拡大図である。
【図９】本発明の第２実施例に係る回転装置を遊技盤に取付けた状態で一部切欠いて示す側面図である。
【図１０】第２実施例の回転装置を分解した状態で示す斜視図である。
【図１１】第２実施例の固定基板と接触部材との関係を示す背面図である。
【図１２】第２実施例の回転基板と被接触部材との関係を示す正面図である。
【図１３】第２実施例に係る回転装置の各部材を組付けた状態を示す斜視図である。
【図１４】第２実施例に係る回転体を示す正面図である。
【符号の説明】
１１  遊技盤
１３  遊技領域
２４  回転軸
２５  回転体
２６  回転基板
２７  発光体
２８  固定基板
４０  接触部材
４２  被接触部材
４６  球接触部
４７  球接触部
４８  球接触部
５５  回転体
５６  固定基板
５８  回転基板
６４  第１接触部材
６５  第２接触部材
６７  被接触部材
【図１】
0004478970.tif 000002
【図２】
0004478970.tif 000003
【図３】
0004478970.tif 000004
【図４】
0004478970.tif 000005
【図５】
0004478970.tif 000006
【図６】
0004478970.tif 000007
【図７】
0004478970.tif 000008
【図８】
0004478970.tif 000009
【図９】
0004478970.tif 000010
【図１０】
0004478970.tif 000011
【図１１】
0004478970.tif 000012
【図１２】
0004478970.tif 000013
【図１３】
0004478970.tif 000014
【図１４】
0004478970.tif 000015